(57)【要約】【課題】ユーザが洗濯可能回数を認識することができる技術を提供する。【解決手段】洗濯物を収容する洗濯槽と、前記洗濯槽内に洗濯処理剤を自動的に投入する自動投入装置と、前記自動投入装置によって前記洗濯槽内に投入される洗濯処理剤を収容する処理剤タンクと、表示部と、制御部と、を備えており、前記制御部は、前記処理剤タンクに収容されている洗濯処理剤の量と、１回の洗濯で使用される洗濯処理剤の量とに基づいて算出される洗濯可能回数を前記表示部に表示する、洗濯機。【選択図】図７
2020078488.tif 000002
【特許請求の範囲】
【請求項１】
洗濯物を収容する洗濯槽と、
前記洗濯槽内に洗濯処理剤を自動的に投入する自動投入装置と、
前記自動投入装置によって前記洗濯槽内に投入される洗濯処理剤を収容する処理剤タンクと、
表示部と、
制御部と、を備えており、
前記制御部は、前記処理剤タンクに収容されている洗濯処理剤の量と、１回の洗濯で使用される洗濯処理剤の量とに基づいて算出される洗濯可能回数を前記表示部に表示する、洗濯機。
【請求項２】
洗濯処理剤の基準量を特定するためのユーザ操作を受け付ける操作部を更に備えており、
前記制御部は、前記操作部が受け付けたユーザ操作によって特定される洗濯処理剤の基準量と、その基準量に対して予め設定されている割合とに基づいて、１回の洗濯で使用される洗濯処理剤の量を特定する、請求項１に記載の洗濯機。
【請求項３】
洗濯処理剤の予め設定されている基準量に対する割合を特定するためのユーザ操作を受け付ける操作部を更に備えており、
前記制御部は、前記操作部が受け付けたユーザ操作によって特定される割合と、洗濯処理剤の予め設定されている基準量とに基づいて、１回の洗濯で使用される洗濯処理剤の量を特定する、請求項１に記載の洗濯機。
【請求項４】
洗濯処理剤の基準量を特定するためのユーザ操作と、洗濯処理剤の基準量に対する割合を特定するためのユーザ操作と、を受け付ける操作部を更に備えており、
前記制御部は、前記操作部が受け付けたユーザ操作によって特定される洗濯処理剤の基準量と、前記操作部が受け付けたユーザ操作によって特定される割合とに基づいて、１回の洗濯で使用される洗濯処理剤の量を特定する、請求項１に記載の洗濯機。
【請求項５】
洗濯処理剤の基準量に対応する洗濯処理剤の銘柄を特定するためのユーザ操作と、洗濯処理剤の基準量に対する割合を特定するためのユーザ操作と、を受け付ける操作部を更に備えており、
前記制御部は、前記操作部が受け付けたユーザ操作によって特定される洗濯処理剤の銘柄に対応する洗濯処理剤の基準量と、前記操作部が受け付けたユーザ操作によって特定される割合とに基づいて、１回の洗濯で使用される洗濯処理剤の量を特定する、請求項１に記載の洗濯機。
【請求項６】
前記洗濯槽内に収容されている洗濯物の重量を検出する検出部を更に備えており、
前記制御部は、前記検出部が検出した洗濯物の重量に基づいて洗濯処理剤の予め設定されている基準量に対する割合を特定し、特定した割合と、洗濯処理剤の予め設定されている基準量とに基づいて、１回の洗濯で使用される洗濯処理剤の量を特定する、請求項１に記載の洗濯機。
【請求項７】
前記制御部は、前記検出部が洗濯物の重量を検出した後及び洗濯が終了した後に同じ洗濯可能回数を前記表示部に表示する、請求項６に記載の洗濯機。
【請求項８】
前記制御部は、洗濯が開始される前に洗濯可能回数を前記表示部に表示する、請求項１から７のいずれか一項に記載の洗濯機。
【請求項９】
前記制御部は、１回の洗濯で使用される洗濯処理剤の量の見直しを促す画面を前記表示部に表示する、請求項１から８のいずれか一項に記載の洗濯機。
【請求項１０】
前記制御部は、１回の洗濯で使用される洗濯処理剤の量の使用回数が最も多い量に基づいて洗濯可能回数を算出する、請求項１から９のいずれか一項に記載の洗濯機。
【請求項１１】
前記処理剤タンクに収容されている洗濯処理剤の量を計測するための目盛りが前記処理剤タンクに付されている、請求項１から１０のいずれか一項に記載の洗濯機。
【発明の詳細な説明】
【技術分野】
【０００１】
本明細書に開示する技術は、洗濯機に関する。
【背景技術】
【０００２】
特許文献１には洗濯機が開示されている。特許文献１の洗濯機は、洗濯槽と、洗濯槽内に洗剤を自動的に投入する自動投入装置と、自動投入装置によって洗濯槽内に投入される洗剤を収容する洗剤タンクとを備えている。
【先行技術文献】
【特許文献】
【０００３】
【特許文献１】特開平７−２７５５６９号公報
【発明の概要】
【発明が解決しようとする課題】
【０００４】
特許文献１の洗濯機では、洗剤タンクに収容されている洗剤の残量が表示部に表示される。そのため、洗濯機のユーザが洗剤の残量を確認することができる。しかしながら、特許文献１の洗濯機では、ユーザが洗剤の残量を確認することができるものの、その残量であと何回洗濯を行うことができるのかが不明である。本明細書は、ユーザが洗濯可能回数を認識することができる技術を提供する。
【課題を解決するための手段】
【０００５】
本明細書に開示する洗濯機は、洗濯物を収容する洗濯槽と、前記洗濯槽内に洗濯処理剤を自動的に投入する自動投入装置と、前記自動投入装置によって前記洗濯槽内に投入される洗濯処理剤を収容する処理剤タンクと、表示部と、制御部と、を備えている。前記制御部は、前記処理剤タンクに収容されている洗濯処理剤の量と、１回の洗濯で使用される洗濯処理剤の量とに基づいて算出される洗濯可能回数を前記表示部に表示する。
【図面の簡単な説明】
【０００６】
【図１】実施例に係る洗濯機の斜視図である。
【図２】実施例に係る洗濯機を模式的に示す図である。
【図３】実施例に係る洗濯機のブロック図である。
【図４】実施例に係る自動投入装置を模式的に示す図である。
【図５】第１実施例に係る表示部に表示される画面の一例を示す図である。
【図６】第１実施例に係る洗濯可能回数の一例を示すテーブルである。
【図７】第１実施例に係る洗濯可能回数表示処理のフローチャートである。
【図８】第１実施例に係る表示部に表示される画面の他の一例を示す図である。
【図９】第２実施例に係る表示部に表示される画面の一例を示す図である。
【図１０】第２実施例に係る洗濯可能回数の一例を示すテーブルである。
【図１１】第３実施例に係る表示部に表示される画面の一例を示す図である。
【図１２】第３実施例に係る洗濯可能回数の一例を示すテーブルである。
【図１３】第４実施例に係る表示部に表示される画面の一例を示す図である。
【図１４】第４実施例に係る洗濯可能回数の一例を示すテーブルである。
【図１５】第５実施例に係る洗濯可能回数の一例を示すテーブルである。
【図１６】第５実施例に係る洗濯可能回数表示処理のフローチャートである。
【図１７】第５実施例に係る表示部に表示される画面の一例を示す図である。
【図１８】他の実施例に係る表示部に表示される画面の一例を示す図である。
【発明を実施するための形態】
【０００７】
実施例に係る洗濯機１０について図面を参照して説明する。図１及び図２に示すように、実施例に係る洗濯機１０は、本体１１と、蓋１２と、洗濯槽１３と、ドラム１４と、モータ１５とを備えている。実施例に係る洗濯機１０はドラム式の洗濯機である。また、洗濯機１０は、給水路１６と、排水路１７と、自動投入装置２０と、洗剤タンク３０（処理剤タンクの一例）と、柔軟剤タンク５０（処理剤タンクの他の一例）とを備えている。また、洗濯機１０は、図３に示すように、タンク検出部４３と、表示部４４と、操作部４５と、制御部４１と、記憶部４２と、重量検出部４６とを備えている。なお、重量検出部４６については、後述する第５実施例で詳細に説明する。
【０００８】
図１及び図２に示すように、洗濯機１０の本体１１は、開口部１１１を備えている。洗濯機１０の蓋１２は、本体１１に取り付けられており、本体１１の開口部１１１を開閉する。本体１１の上部にはスタートボタン８０が設けられている。本体１１の内部には、洗濯槽１３、ドラム１４及びモータ１５が配置されている。
【０００９】
洗濯槽１３は、本体１１の内部の中央部に配置されている。洗濯槽１３は洗濯用の水を収容する。ドラム１４は、洗濯槽１３の内部に配置されており、洗濯槽１３の内部で回転する。ドラム１４は、洗濯物を収容した状態で回転する。モータ１５は、ドラム１４の後方に配置されており、ドラム１４を回転させる。
【００１０】
洗濯機１０の給水路１６は、その上流端部が給水源（図示省略）に接続されており、下流端部が洗濯槽１３に接続されている。給水路１６は、給水源から洗濯槽１３内に水を供給する。給水路１６には給水弁１８が設けられている。給水弁１８は給水路１６を開閉する。給水弁１８が開状態になると洗濯槽１３に水が供給される。
【００１１】
洗濯機１０の排水路１７は、その上流端部が洗濯槽１３に接続されており、下流端部が例えば洗濯パンの排水口（図示省略）に接続されている。排水路１７は、洗濯槽１３内の水を排水口に排出する。排水路１７には排水弁１９が設けられている。排水弁１９は、排水路１７を開閉する。排水弁１９が開状態になると洗濯槽１３内の水が排出される。
【００１２】
洗濯機１０の自動投入装置２０は、本体１１の内部に配置されている。自動投入装置２０は、本体１１の上部に配置されている。自動投入装置２０は、洗濯槽１３内に洗濯処理剤（例えば、洗剤、柔軟剤、漂白剤等）を自動的に投入することができる装置である。自動投入装置２０は、洗剤タンク３０が自動投入装置２０に取り付けられている状態で、洗剤タンク３０に収容されている洗剤を洗濯槽１３に自動的に投入する。また、自動投入装置２０は、柔軟剤タンク５０が自動投入装置２０に取り付けられている状態で、柔軟剤タンク５０に収容されている柔軟剤を洗濯槽１３に自動的に投入する。
【００１３】
図４に示すように、自動投入装置２０は、着脱容器２１と、蓋２８と、開閉検出部２９と、第１洗剤供給路２２と、ピストンポンプ２３と、第２洗剤供給路２４とを備えている。着脱容器２１は洗剤タンク３０を収容する。洗濯機１０のユーザが、洗剤タンク３０を着脱容器２１に収容する、或いは、着脱容器２１から洗剤タンク３０を取り出す。着脱容器２１に対して洗剤タンク３０が着脱される。自動投入装置２０の蓋２８は、着脱容器２１の開口部２１１を開閉する。洗剤タンク３０には液体の洗剤（洗濯処理剤の一例）が収容される。また、自動投入装置２０の着脱容器２１は、柔軟剤タンク５０（図３では図示省略）を収容する。柔軟剤タンク５０には液体の柔軟剤（洗濯処理剤の他の一例）が収容される。以下の説明では、柔軟剤タンク５０については内部に収容されている液体の種類以外は洗剤タンク３０と同様の構成なので詳細な説明を省略する。
【００１４】
洗剤タンク３０は、注入口３１と、排出口３２とを備えている。洗剤タンク３０の注入口３１から洗剤タンク３０内に洗剤が注入される。洗濯機１０のユーザが、洗剤タンク３０内に洗剤を注入する。ユーザは、洗剤タンク３０が着脱容器２１に取り付けられている状態で、或いは、洗剤タンク３０が着脱容器２１から取り出されている状態で、洗剤タンク３０内に洗剤を注入することができる。洗剤タンク３０内の洗剤は洗剤タンク３０の排出口３２から排出される。洗剤タンク３０の側面には、洗剤タンク３０に収容されている洗剤の量を計測するための目盛り３９が付されている。ユーザは、目盛り３９を視ることによって、洗剤の量を計測することができる。
【００１５】
自動投入装置２０の開閉検出部２９は、蓋２８の下面に固定されており、蓋２８の開閉を検出することができる。この開閉検出部２９は例えば圧力センサである。また、着脱容器２１に取り付けられているリードスイッチ（図示省略）と、蓋２８に取り付けられている磁石（図示省略）とによって開閉検出部２９が構成されていてもよい。開閉検出部２９は、蓋２８が閉じられたときに着脱容器２１の上部に接触する。開閉検出部２９が着脱容器２１の上部に接触することによって、蓋２８が閉じられたことを検出することができる。また、開閉検出部２９は、蓋２８が開かれたときに着脱容器２１の上部から離間する。開閉検出部２９が着脱容器２１の上部から離間することによって、蓋２８が開かれたことを検出することができる。開閉検出部２９の検出結果は制御部４１に送信される。
【００１６】
自動投入装置２０の第１洗剤供給路２２は、その上流端部が着脱容器２１に接続されており、下流端部がピストンポンプ２３に接続されている。第１洗剤供給路２２の上流端部は、着脱容器２１に洗剤タンク３０が取り付けられたときに洗剤タンク３０の排出口３２に接続される。第１洗剤供給路２２は、洗剤タンク３０からピストンポンプ２３に洗剤を供給する。第１洗剤供給路２２には第１逆止弁２５が設けられている。第１逆止弁２５は、着脱容器２１側からピストンポンプ２３側への洗剤の流れを許容し、その反対側への洗剤の流れを禁止する。
【００１７】
自動投入装置２０の第２洗剤供給路２４は、その上流端部がピストンポンプ２３に接続されており、下流端部が洗濯機１０の給水路１６に接続されている。第２洗剤供給路２４は、ピストンポンプ２３から給水路１６へ洗剤を供給する。第２洗剤供給路２４には第２逆止弁２６が設けられている。第２逆止弁２６は、ピストンポンプ２３側から給水路１６側への洗剤の流れを許容し、その反対側への洗剤の流れを禁止する。
【００１８】
ピストンポンプ２３は、第１洗剤供給路２２を介して洗剤タンク３０から洗剤を吸引し、第２洗剤供給路２４を介して給水路１６へ洗剤を吐出する。ピストンポンプ２３は、予め設定された重量の洗剤を洗剤タンク３０から吸引して給水路１６へ吐出する。給水路１６へ吐出された洗剤は、給水路１６を流れる水と合流して洗濯槽１３内に供給される。このようにして、洗剤タンク３０に収容されている洗剤が洗濯槽１３内に自動的に投入される。なお、上記の洗濯機１０では、ユーザが手動で洗濯槽１３内に洗剤を投入してもよい。
【００１９】
自動投入装置２０の着脱容器２１の下部にはタンク検出部４３が固定されている。タンク検出部４３は、例えば重量センサであり、洗剤タンク３０の重量を検出することができる。洗剤タンク３０が自動投入装置２０に取り付けられたときに、タンク検出部４３が洗剤タンク３０の重量を検出する。これによってタンク検出部４３は、洗剤タンク３０が自動投入装置２０に取り付けられたことを検出することができる。また、タンク検出部４３は、自動投入装置２０から洗剤タンク３０が取り外されたことを検出することができる。また、タンク検出部４３は、洗剤タンク３０に収容されている洗剤の重量を検出することができる。タンク検出部４３は、例えば、洗剤タンク３０に洗剤が収容されているときの検出重量と、洗剤タンク３０に何も収容されていないときの重量との差分に基づいて、洗剤の重量を検出することができる。タンク検出部４３の検出重量は、制御部４１に送信される。
【００２０】
図１に示すように、洗濯機１０の表示部４４は、本体１１の上部に配置されている。この表示部４４は例えば液晶パネルである。表示部４４には洗濯機１０に関する様々な情報が表示される。また、表示部４４は操作部４５と一体的に構成されている。表示部４４は、例えば液晶のタッチパネルである。操作部４５は洗濯機１０に関する様々な操作を受け付ける。洗濯機１０のユーザが操作部４５を操作することによって様々な操作を実行する。
【００２１】
図５に示すように、操作部４５は、第１特定操作部４５１を備えている。第１特定操作部４５１は、洗剤の目安量を選択可能に構成されている。洗剤の目安量は、洗濯運転において必要となる洗剤の目安の重量を示している。図６に示すように、洗剤の目安量は、例えば１０ｇ／３０Ｌ、２０ｇ／３０Ｌ等と表される。洗濯機１０のユーザが第１特定操作部４５１を操作することによって、複数の洗剤の目安量の中から任意の目安量を選択することができる。
【００２２】
洗剤の目安量は、洗剤の基準量に対応している。洗濯機１０のユーザが第１特定操作部４５１を操作して洗剤の目安量を選択することによって、洗剤の目安量に対応する洗剤の基準量が特定される。洗剤の基準量は、１回の洗濯で使用される洗剤の重量を特定する際の基準となる重量を示している。洗剤の基準量は、例えば２２ｇ、４４ｇ等と表される。例えば、１０ｇ／３０Ｌの目安量が２２ｇの基準量に対応しており、２０ｇ／３０Ｌの目安量が４４ｇの基準量に対応している。第１特定操作部４５１のユーザ操作によって特定された洗剤の基準量は記憶部４２に記憶される。
【００２３】
上記の洗濯機１０では、洗剤の基準量に対する割合が予め特定の１個の値に設定されている。洗剤の基準量に対する割合は、１回の洗濯で使用される洗剤の重量を特定する際の基準量に対する割合を示している。洗剤の基準量に対する割合は予め記憶部４２に記憶されている。洗剤の基準量に対する割合は、例えば０．８である。洗剤の基準量に対する割合は、基準量に対して「多め」や「少なめ」等を表すパラメータである。例えば、洗剤の基準量に対して０．８は、基準量に対して０．７よりも多めであり、０．９よりも少なめである。
【００２４】
図３に示す洗濯機１０の制御部４１は、例えばＣＰＵ及びメモリ等を備えている。制御部４１は、例えばメモリに記憶されている所定のプログラムに基づいて情報処理を実行することができる。制御部４１は、記憶部４２に記憶されている洗剤の基準量（例えば２２ｇ）と、その基準量に対する割合（例えば０．８）とに基づいて、１回の洗濯で使用される洗剤の使用量（例えば１８ｇ）を特定することができる（図６参照）。制御部４１は、洗剤の基準量に割合を乗じることによって洗剤の使用量を算出する。洗剤の使用量＝洗剤の基準量×割合である。例えば、洗剤の使用量１８ｇ＝洗剤の基準量２２ｇ×割合０．８である。算出された洗剤の使用量は記憶部４２に記憶される。
【００２５】
また、制御部４１は、洗濯機１０での洗濯可能回数を算出可能に構成されている。洗濯可能回数は、洗剤タンク３０に収容されている洗剤を用いて洗濯運転を実行することができる回数である。制御部４１は、洗剤タンク３０に収容されている洗剤の残量と、１回の洗濯で使用される洗剤の使用量とに基づいて洗濯可能回数を算出する。例えば、洗剤タンク３０に収容されている洗剤の残量が１０００ｇであり、１回の洗濯で使用される洗剤の使用量が２２ｇである場合は、洗濯可能回数は５６回（１０００ｇ／２２ｇ）である（図６参照）。
【００２６】
また、制御部４１は、洗濯機１０の各種の動作を制御する。例えば、制御部４１は、自動投入装置２０のピストンポンプ２３の動作を制御する。制御部４１は、所定の使用量の洗剤が洗剤タンク３０から洗濯槽１３に自動的に供給されるようにピストンポンプ２３の動作を制御する。制御部４１は、洗剤の基準量（例えば２２ｇ）と割合（例えば０．８）とに基づいて算出した使用量（例えば１８ｇ）の洗剤をピストンポンプ２３が吐出するように、ピストンポンプ２３の動作を制御する。ピストンポンプ２３は、制御部４１が特定した使用量（例えば１８ｇ）の洗剤を吐出する。
【００２７】
上記の洗濯機１０では、洗濯運転が実行可能される。洗濯運転は、洗濯槽１３内のドラム１４内に収容されている洗濯物を洗濯する運転である。洗濯機１０は、洗剤タンク３０に収容されている洗剤を用いて洗濯物を洗濯する。
【００２８】
（第１実施例）
次に、洗濯機１０で実行される第１実施例に係る洗濯可能回数表示処理について説明する。図７は、洗濯可能回数表示処理のフローチャートである。洗濯可能回数表示処理は、例えば、洗濯機１０の電源がオンになると開始される。図７に示すように、洗濯可能回数表示処理のＳ１０では、制御部４１が、洗剤タンク３０に収容されている洗剤の残量を認識する。洗剤タンク３０に収容されている洗剤の残量は、タンク検出部４３によって検出される。制御部４１は、タンク検出部４３の検出重量に基づいて、洗剤タンク３０に収容されている洗剤の残量を認識する。洗剤タンク３０に収容されている洗剤の残量は、例えば１０００ｇである（図６参照）。
【００２９】
続くＳ１１では、制御部４１が、初期画面を表示部４４に表示する（図５参照）。初期画面は、洗濯機１０のユーザが洗濯運転、洗濯乾燥運転、又は乾燥運転を選択するための画面である。また、Ｓ１１では、制御部４１が、洗濯可能回数を表示部４４に表示する。制御部４１は、今回の洗濯運転が開始される前に洗濯可能回数を表示部４４に表示する。Ｓ１１では、制御部４１は、前回の洗濯運転が終了した段階での洗濯可能回数を表示部４４に表示する。前回の洗濯運転が終了した段階での洗濯可能回数は、記憶部４２に記憶されている。前回の洗濯運転が終了した段階での洗濯可能回数は、前回の洗濯可能回数表示処理において、後述するＳ２１の処理で制御部４１が表示部４４に表示した洗濯可能回数である。
【００３０】
続くＳ１２では、制御部４１が、スタートボタン８０が押されたか否かを判断する。スタートボタン８０が押されると開始信号が制御部４１に送信される。スタートボタン８０が押された場合は、Ｓ１２で制御部４１がＹＥＳと判断してＳ１３に進む。例えば、洗濯機１０のユーザがスタートボタン８０を押した場合はＳ１２でＹＥＳと判断される。そうでない場合は、Ｓ１２で制御部４１がＮＯと判断して待機する。
【００３１】
続くＳ１３では、制御部４１が、１回の洗濯で使用される洗剤の使用量を特定する。制御部４１は、記憶部４２に記憶されている洗剤の基準量（例えば２２ｇ）と、基準量に対する割合（例えば０．８）とに基づいて、洗剤の使用量（例えば１８ｇ）を特定する（図６参照）。制御部４１は、特定した洗剤の使用量を記憶部４２に記憶する。Ｓ１３では、制御部４１が、既に算出されて記憶部４２に記憶されている洗剤の使用量を読み出してもよい。続くＳ１４では、制御部４１が、Ｓ１３で特定した洗剤の使用量（例えば１８ｇ）を表示部４４に表示する（図５参照）。
【００３２】
続くＳ１５では、制御部４１が、自動投入装置２０を動作させて洗剤を洗濯槽１３内に投入する。自動投入装置２０は、上記のＳ１３で制御部４１が特定した使用量（例えば１８ｇ）の洗剤を洗濯槽１３内に自動投入する。自動投入装置２０は、洗剤タンク３０に収容されている洗剤を洗濯槽１３内に洗剤を投入する。自動投入装置２０が洗濯槽１３内に洗剤を投入することによって、洗剤タンク３０に収容されている洗剤の残量が減少する。
【００３３】
続くＳ１６では、制御部４１が、洗剤タンク３０に収容されている洗剤の残量を認識する。洗剤タンク３０に収容されている洗剤の残量は、タンク検出部４３によって検出される。制御部４１は、タンク検出部４３の検出重量に基づいて、洗剤タンク３０に収容されている洗剤の残量を認識する。洗剤タンク３０に収容されている洗剤の残量は、自動投入装置２０が洗濯槽１３内に洗剤を投入したことによって減少している（Ｓ１５参照）。そのため、Ｓ１６で制御部４１が認識する洗剤の残量は、上記のＳ１０で制御部４１が認識した洗剤の残量より少なくなっている。洗剤タンク３０に収容されている洗剤の残量は、例えば、９８２ｇ（１０００ｇ−１８ｇ）である。
【００３４】
続くＳ１７では、制御部４１が、洗濯可能回数を算出する。制御部４１は、上記のＳ１６で認識した洗剤の残量（例えば９８２ｇ）と、上記のＳ１３で特定した洗剤の使用量（例えば１８ｇ）とに基づいて洗濯可能回数を算出する。制御部４１は、洗剤の残量を洗剤の使用量で除することによって洗濯可能回数を算出する。洗濯可能回数＝洗剤の残量／洗剤の使用量である。例えば、洗濯可能回数５５回＝洗剤の残量９８２ｇ／洗剤の使用量１８ｇである。続くＳ１８では、制御部４１が、Ｓ１７で算出した洗濯可能回数（例えば５５回）を表示部４４に表示する（図８参照）。制御部４１は、Ｓ１８で表示部４４に表示する洗濯可能回数を記憶部４２に記憶する。また、制御部４１は、Ｓ１８で表示部４４に洗濯可能回数を表示してから所定時間が経過したタイミングで、表示部４４に表示した洗濯可能回数を表示しないようにする。これによって、表示部４４から洗濯可能回数の表示が消える。
【００３５】
続くＳ１９では、制御部４１が、洗濯運転を開始する。制御部４１は、洗濯運転において、例えば給水工程、洗い工程、すすぎ工程、及び脱水工程を実行する。洗濯運転が実行されることによって、ドラム１４に収容されている洗濯物が洗濯される。洗濯運転における給水工程、洗い工程、すすぎ工程、及び脱水工程については、よく知られているので詳細な説明を省略する。洗濯運転の全工程が終了した後、続くＳ２０では、制御部４１が洗濯運転を終了する。
【００３６】
続くＳ２１では、制御部４１が、再び洗濯可能回数を表示部４４に表示する。制御部４１は、上記のＳ１８で表示部４４に表示した洗濯可能回数（例えば５５回）と同じ洗濯可能回数を表示部４４に表示する（図８参照）。制御部４１は、Ｓ２１で表示部４４に表示する洗濯可能回数を記憶部４２に記憶する。また、制御部４１は、Ｓ２１で表示部４４に洗濯可能回数を表示してから所定時間が経過したタイミングで、表示部４４に表示した洗濯可能回数を表示しないようにする。これによって、表示部４４から洗濯可能回数の表示が消える。
【００３７】
続くＳ２２では、制御部４１が、洗濯機１０の蓋１２が開かれたか否かを判断する。蓋１２の開閉は、図示省略する開閉検出部によって検出される。蓋１２が開かれた場合は、Ｓ２２で制御部４１がＹＥＳと判断してＳ２３に進む。そうでない場合は、制御部４１がＮＯと判断して待機する。続くＳ２３では、制御部４１が、Ｓ２２でＹＥＳと判断してから所定時間が経過した後に洗濯機１０の電源をオフにする。その後、洗濯可能回数表示処理が終了する。
【００３８】
なお、制御部４１は、次回の洗濯可能回数表示処理におけるＳ１１では、今回の洗濯可能回数表示処理におけるＳ２１で表示した洗濯可能回数（例えば５５回）を表示部４４に表示する。
【００３９】
以上、実施例に係る洗濯機１０について説明した。上記の説明から明らかなように、実施例に係る洗濯機１０は、洗濯物を収容する洗濯槽１３と、洗濯槽１３内に洗剤を自動的に投入する自動投入装置２０と、自動投入装置２０によって洗濯槽１３内に投入される洗剤を収容する洗剤タンク３０と、表示部４４と、制御部４１とを備えている。制御部４１は、洗剤タンク３０に収容されている洗剤の残量（例えば１０００ｇ）と、１回の洗濯で使用される洗剤の使用量（例えば１８ｇ）とに基づいて算出される洗濯可能回数（例えば５６回）を表示部４４に表示する（Ｓ１８）。この構成によれば、洗濯可能回数が洗濯機１０の表示部４４に表示されるので、洗濯機１０のユーザが洗濯可能回数を容易に認識することができる。そのため、洗剤タンク３０に洗剤を補充する時期や洗剤を購入する時期を容易に把握することができる。
【００４０】
また、上記の洗濯機１０は、洗剤の基準量（例えば２２ｇ）を特定するためのユーザ操作を受け付ける操作部４５を備えている。制御部４１は、操作部４５が受け付けたユーザ操作によって特定される洗剤の基準量（例えば２２ｇ）と、その基準量に対して予め設定されている割合（例えば０．８）とに基づいて、１回の洗濯で使用される洗剤の使用量（例えば１８ｇ）を特定する（Ｓ１３）。この構成によれば、基準量が異なる洗剤を使用する場合であっても、ユーザ操作に応じて１回の洗濯で使用される洗剤の使用量を特定することができる。洗濯機１０のユーザは使用する洗剤に応じて洗剤の基準量を選択することができ、それに応じて適切な洗濯可能回数が表示部４４に表示されるので、ユーザの利便性が向上する。
【００４１】
また、上記の洗濯機１０では、制御部４１が、洗濯運転が開始される前に洗濯可能回数を表示部４４に表示する（Ｓ１１）。この構成によれば、洗濯運転が開始される前にユーザが洗濯可能回数を認識することができるので、ユーザの利便性が向上する。また、洗濯運転が開始される前に洗剤タンク３０に洗剤が補充された場合には、洗濯可能回数が表示部４４に表示されることによって、洗剤タンク３０に洗剤が補充された直後の洗濯可能回数をユーザが認識することができる。
【００４２】
また、上記の洗濯機１０では、制御部４１が、洗剤が洗濯槽１３に自動投入された後、洗濯運転が開始される前に洗濯可能回数を表示部４４に表示する（Ｓ１５、Ｓ１８、Ｓ１９）。この構成によれば、洗剤が洗濯槽１３に自動投入された後の最新の洗濯可能回数をユーザが認識することができる。また、上記の洗濯機１０では、制御部４１が、洗濯運転が終了した後に、上記と同様の洗濯可能回数を表示部４４に表示する（Ｓ２０、Ｓ２１）。制御部４１は、Ｓ１８とＳ２１の処理で同様の洗濯可能回数を表示部４４に表示する。この構成によれば、洗濯運転が終了した後の最新の洗濯可能回数をユーザが認識することができる。
【００４３】
以上、一実施例について説明したが、具体的な態様は上記実施例に限定されるものではない。以下の説明において、上記の説明における構成と同様の構成については、同一の符号を付して説明を省略する。
【００４４】
（第２実施例）
次に第２実施例について説明する。上記の第１実施例では、第１特定操作部４５１が洗剤の目安量を選択可能に構成されており、洗濯機１０のユーザが第１特定操作部４５１を操作して洗剤の目安量（例えば１０ｇ／３０Ｌ）を選択することによって、その目安量に対応する洗剤の基準量（例えば２２ｇ）が特定される構成であった（図５、図６参照）。また、第１実施例では、洗剤の基準量に対する割合（例えば０．８）が予め特定の１個の値に設定されていた（図６参照）。
【００４５】
第２実施例では、図９に示すように、第１特定操作部４５１が、洗剤の基準量に対する割合を選択可能に構成されている。図１０に示すように、洗剤の基準量に対する割合は、例えば０．５、０．６等である。洗濯機１０のユーザが第１特定操作部４５１を操作することによって、複数の割合の中から任意の割合（例えば０．５）を選択することができる。第１特定操作部４５１のユーザ操作によって特定された洗剤の基準量に対する割合は記憶部４２に記憶される。洗剤の基準量に対する割合は、基準量に対して「多め」や「少なめ」等を表すパラメータである。例えば、洗剤の基準量に対して０．５は、基準量に対して０．４よりも多めであり、０．６よりも少なめである。図９に示すように、洗濯機１０のユーザが第１特定操作部４５１を操作することによって選択した割合（例えば０．５）は、例えばインジケータ４５３に表示される。洗濯機１０のユーザは、好みの割合を選択することができる。また、例えば、洗濯機１０のユーザがプラスボタン４５４及びマイナスボタン４５５を操作することによって、洗剤の基準量に対する割合（例えば０．５）を選択してもよい。
【００４６】
また、第２実施例では、洗剤の基準量が予め特定の１個の値に設定されている。洗剤の基準量は、例えば４４ｇである。洗剤の基準量は予め記憶部４２に記憶されている。
【００４７】
洗濯機１０の制御部４１は、記憶部４２に記憶されている洗剤の基準量（例えば４４ｇ）と、その基準量に対する割合（例えば０．５）とに基づいて、１回の洗濯で使用される洗剤の使用量（例えば２２ｇ）を特定することができる（図１０参照）。制御部４１は、洗剤の基準量に割合を乗じることによって洗剤の使用量を算出する。例えば、洗剤の使用量２２ｇ＝洗剤の基準量４４ｇ×割合０．５である。算出された洗剤の使用量は記憶部４２に記憶される。
【００４８】
また、制御部４１は、上記の洗濯可能回数表示処理（図７参照）のＳ１７で、洗剤タンク３０に収容されている洗剤の残量（例えば１０００ｇ）と、洗剤の使用量（例えば２２ｇ）とに基づいて洗濯可能回数（例えば４５回）を算出する。制御部４１は、洗剤の残量を洗剤の使用量で除することによって洗濯可能回数を算出する。例えば、洗濯可能回数４５回＝洗剤の残量１０００ｇ／洗剤の使用量２２ｇである。続くＳ１８では、制御部４１が、Ｓ１７で算出した洗濯可能回数（例えば４５回）を表示部４４に表示する（図１０参照）。
【００４９】
以上、第２実施例について説明した。上記の説明から明らかなように、上記の洗濯機１０は、洗剤の予め設定されている基準量（例えば４４ｇ）に対する割合（例えば０．５）を特定するためのユーザ操作を受け付ける操作部４５を備えている。制御部４１は、操作部４５が受け付けたユーザ操作によって特定される割合（例えば０．５）と、洗剤の予め設定されている基準量（例えば４４ｇ）とに基づいて、１回の洗濯で使用される洗剤の使用量（例えば２２ｇ）を特定する（Ｓ１３）。この構成によれば、洗濯機１０のユーザは状況に応じて洗剤の基準量に対する割合を選択することができ、それに応じて適切な洗濯可能回数が表示部４４に表示されるので、ユーザの利便性が向上する。例えば、ユーザは、洗濯槽１３に収容されている洗濯物の重量が大きいと思う場合は、大きい割合を選択することができる。また、ユーザは、多めの洗剤量が好みの場合は大きい割合を選択することができ、少なめの洗剤量が好みの場合は小さい割合を選択することができる。この構成によれば、ユーザの好みの洗剤量に応じた洗濯可能回数が表示部４４に表示されるので、ユーザの利便性が向上する。また、ユーザが選択した割合（例えば０．５）を毎日の洗濯において維持することによって、毎日の洗濯においてユーザの好みの洗剤量を反映させることができる。毎日の洗濯においてユーザの好みの洗剤量に応じた洗濯可能回数を表示部４４に表示することができる。
【００５０】
（第３実施例）
次に第３実施例について説明する。上記の第１実施例では、洗剤の基準量に対する割合（例えば０．８）が予め特定の１個の値に設定されていた（図６参照）。また、上記の第２実施例では、洗剤の基準量（例えば４４ｇ）が予め特定の１個の値に設定されていた。第３実施例では、図１１に示すように、操作部４５が、第１特定操作部４５１及び第２特定操作部４５２を備えている。
【００５１】
第１特定操作部４５１は、洗剤の目安量を選択可能に構成されている。図１２に示すように、洗剤の目安量は、例えば１０ｇ／３０Ｌ、２０ｇ／３０Ｌ等と表される。洗濯機１０のユーザが第１特定操作部４５１を操作することによって、複数の洗剤の目安量の中から任意の目安量を選択することができる。
【００５２】
洗剤の目安量は、洗剤の基準量に対応している。洗濯機１０のユーザが第１特定操作部４５１を操作して洗剤の目安量を選択することによって、洗剤の目安量に対応する洗剤の基準量が特定される。洗剤の基準量は、例えば２２ｇ、４４ｇ等と表される。例えば、１０ｇ／３０Ｌの目安量が２２ｇの基準量に対応しており、２０ｇ／３０Ｌの目安量が４４ｇの基準量に対応している。第１特定操作部４５１のユーザ操作によって特定された洗剤の基準量は記憶部４２に記憶される。
【００５３】
図１１に示すように、第２特定操作部４５２は、洗剤の基準量に対する割合を選択可能に構成されている。図１２に示すように、洗剤の基準量に対する割合は、例えば０．５、０．６等である。洗濯機１０のユーザが第２特定操作部４５２を操作することによって、複数の割合の中から任意の割合（例えば０．５）を選択することができる。第２特定操作部４５２のユーザ操作によって特定された洗剤の基準量に対する割合は記憶部４２に記憶される。
【００５４】
洗濯機１０の制御部４１は、特定した洗剤の基準量（例えば４４ｇ）と、その基準量に対する割合（例えば０．５）とに基づいて、１回の洗濯で使用される洗剤の使用量（例えば２２ｇ）を特定することができる（図１２参照）。制御部４１は、洗剤の基準量に割合を乗じることによって洗剤の使用量を算出する。例えば、洗剤の使用量２２ｇ＝洗剤の基準量４４ｇ×割合０．５である。算出された洗剤の使用量は記憶部４２に記憶される。
【００５５】
また、制御部４１は、上記の洗濯可能回数表示処理（図７参照）のＳ１７で、洗剤タンク３０に収容されている洗剤の残量（例えば１０００ｇ）と、洗剤の使用量（例えば２２ｇ）とに基づいて洗濯可能回数（例えば４５回）を算出する（図１２参照）。制御部４１は、洗剤の残量を洗剤の使用量で除することによって洗濯可能回数を算出する。例えば、洗濯可能回数４５回＝洗剤の残量１０００ｇ／洗剤の使用量２２ｇである。なお、図１２では、洗剤の使用量と洗濯可能回数が同じセル内に表示されている。例えば、洗剤の基準量が４４ｇであり、洗剤の基準量に対する割合が０．５である場合は、（洗剤の使用量、洗濯可能回数）＝（２２ｇ、４５回）である。上記の洗濯可能回数表示処理のＳ１７に続くＳ１８では、制御部４１が、Ｓ１７で算出した洗濯可能回数（例えば４５回）を表示部４４に表示する（図１１参照）。
【００５６】
以上、第３実施例について説明した。上記の説明から明らかなように、上記の洗濯機１０は、洗剤の基準量（例えば４４ｇ）を特定するためのユーザ操作と、洗剤の基準量に対する割合（例えば０．５）を特定するためのユーザ操作と、を受け付ける操作部４５を備えている。制御部４１は、操作部４５が受け付けたユーザ操作によって特定される洗剤の基準量（例えば４４ｇ）と、操作部４５が受け付けたユーザ操作によって特定される割合（例えば０．８）とに基づいて、１回の洗濯で使用される洗剤の使用量（例えば２２ｇ）を特定する（Ｓ１３）。この構成によれば、洗濯機１０のユーザが洗剤の基準量とそれに対する割合を選択することができ、ユーザの選択に応じて適切な洗濯可能回数が表示されるので、ユーザの利便性が向上する。
【００５７】
（第４実施例）
次に第４実施例について説明する。上記の第３実施例では、第１特定操作部４５１が、洗剤の目安量を選択可能に構成されていた。第４実施例では、図１３に示すように、第１特定操作部４５１が、洗剤の銘柄を選択可能に構成されている。洗剤の銘柄は、例えばＡ、Ｂ等である。洗濯機１０のユーザが第１特定操作部４５１を操作することによって、複数の洗剤の銘柄の中から任意の銘柄を選択することができる。
【００５８】
洗剤の銘柄は、洗剤の目安量及び基準量に対応している（図１４参照）。洗濯機１０のユーザが第１特定操作部４５１を操作して洗剤の銘柄を選択することによって、洗剤の銘柄に対応する洗剤の目安量及び基準量が特定される。例えば、Ａの銘柄が２２ｇの基準量に対応しており、Ｂの銘柄が４４ｇの基準量に対応している。第１特定操作部４５１のユーザ操作によって特定された洗剤の基準量は記憶部４２に記憶される。第４実施例のその他の処理については、第３実施例と同様であるので詳細な説明を省略する。
【００５９】
また、上記の第１実施例では、第３実施例と同様に、第１特定操作部４５１が、洗剤の目安量を選択可能に構成されていた。第１実施例の変形例では、第４実施例と同様に、第１特定操作部４５１が、洗剤の銘柄を選択可能に構成されていてもよい。
【００６０】
以上、第４実施例について説明した。上記の説明から明らかなように、上記の洗濯機１０は、洗剤の基準量（例えば４４ｇ）に対応する洗剤（例えばＢ）の銘柄を特定するためのユーザ操作と、洗剤の基準量に対する割合（例えば０．５）を特定するためのユーザ操作と、を受け付ける操作部４５を備えている。制御部４１は、操作部４５が受け付けたユーザ操作によって特定される洗剤の銘柄（例えばＢ）に対応する洗剤の基準量（例えば４４ｇ）と、操作部４５が受け付けたユーザ操作によって特定される割合（例えば０．５）とに基づいて、１回の洗濯で使用される洗剤の使用量（例えば２２ｇ）を特定する（Ｓ１３）。この構成によれば、洗濯機１０のユーザが洗剤の銘柄を選択するだけで洗剤の基準量を特定することができるので、洗剤の基準量を特定する際のユーザの負担を減らすことができ、ユーザの利便性が向上する。
【００６１】
（第５実施例）
次に第５実施例について説明する。図２及び図３に示すように、洗濯機１０は、重量検出部４６を備えている。重量検出部４６は、本体１１の内部に配置されている。重量検出部４６は、洗濯槽１３内のドラム１４内に収容されている洗濯物の重量を検出することができる。例えば、重量検出部４６は、ドラム１４内に洗濯物が収容されている状態で、モータ１５の回転負荷の変化を検出することによって、洗濯物の重量を検出することができる。重量検出部４６は、例えば１ｋｇのオーダーで洗濯物の重量を検出することができる。図１５に示すように、重量検出部４６の検出重量は、例えば、１ｋｇ、２ｋｇ等である。重量検出部４６の検出重量の情報は、制御部４１に送信される。
【００６２】
洗濯物の重量は、洗剤の基準量に対する割合に対応している。例えば、１ｋｇの重量が０．５の割合に対応しており、２ｋｇの重量が０．６の割合に対応している。重量検出部４６が洗濯物の重量を検出することによって、洗濯物の重量に対応する割合が特定される。洗濯物の重量と洗剤の基準量に対する割合との関係は、予め設定されており、記憶部４２に記憶されている。
【００６３】
第５実施例に係る洗濯機１０では、洗剤の基準量が予め特定の１個の値に設定されている。洗剤の基準量は、例えば４４ｇである。洗剤の基準量は予め記憶部４２に記憶されている。
【００６４】
次に、洗濯機１０で実行される第５実施例に係る洗濯可能回数表示処理について説明する。図１６は、洗濯可能回数表示処理のフローチャートである。第５実施例では、洗濯可能回数表示処理の上記のＳ１２の処理の後にＳ５０の処理が実行される。Ｓ５０では、重量検出部４６が洗濯槽１３内のドラム１４内に収容されている洗濯物の重量を検出する。重量検出部４６の検出重量（例えば１ｋｇ）の情報は、制御部４１に送信される。
【００６５】
続くＳ５１では、制御部４１が、重量検出部４６の検出重量（例えば１ｋｇ）に基づいて洗剤の基準量に対する割合（例えば０．５）を特定する（図１５参照）。制御部４１は、図１５に示す洗濯物の重量と洗剤の基準量に対する割合との予め設定されている関係に基づいて、洗剤の基準量に対する割合を特定する。
【００６６】
続くＳ１３では、制御部４１が、１回の洗濯で使用される洗剤の使用量を特定する。制御部４１は、記憶部４２に記憶されている洗剤の基準量（例えば４４ｇ）と、上記のＳ５１で特定した洗剤の基準量に対する割合（例えば０．５）とに基づいて、洗剤の使用量（例えば２２ｇ）を特定する。制御部４１は、特定した洗剤の使用量を記憶部４２に記憶する。続くＳ１４では、制御部４１が、Ｓ１３で特定した洗剤の使用量（例えば２２ｇ）を表示部４４に表示する（図１７参照）。第５実施例のＳ１５以降の処理については、上記の各実施例で説明したので詳細な説明を省略する。
【００６７】
以上、第５実施例について説明した。上記の説明から明らかなように、上記の洗濯機１０は、洗濯槽１３内に収容されている洗濯物の重量を検出する重量検出部４６を備えている。制御部４１は、重量検出部４６が検出した洗濯物の重量に基づいて洗剤の予め設定されている基準量に対する割合（例えば０．５）を特定する。制御部４１は、特定した割合と、洗剤の予め設定されている基準量（例えば４４ｇ）とに基づいて、１回の洗濯で使用される洗剤の使用量（例えば２２ｇ）を特定する（Ｓ１３）。この構成によれば、洗濯槽１３内に収容されている洗濯物の重量に応じた洗剤の使用量を特定することができ、洗濯物の重量に応じた適切な洗濯可能回数を表示部４４に表示することができる。
【００６８】
また、上記の洗濯機１０では、制御部４１が、重量検出部４６が洗濯物の重量を検出した後及び洗濯運転が終了した後に同じ洗濯可能回数を表示部４４に表示する（Ｓ１８、Ｓ２１）。この構成によれば、洗濯機１０のユーザが洗濯可能回数を認識し易く、ユーザの利便性が向上する。なお、制御部４１がＳ１８とＳ２１で同じ洗濯可能回数を表示部４４に表示する点については、上記の第１実施例で説明した。
【００６９】
（他の実施例）
（１）他の実施例では、制御部４１が、洗剤の使用量の使用回数を計数してもよい。例えば、制御部４１は、洗剤の使用量が２２ｇである場合の洗濯運転を５回実行した場合は、その５回を計数する。また、制御部４１は、洗剤の使用量が１８ｇである場合の洗濯運転を１０回実行した場合は、その１０回を計数する。また、図１８に示すように、制御部４１が、使用回数が最も多い洗剤の使用量を表示部４４に表示してもよい。例えば、制御部４１は、洗剤の使用量が１８ｇである場合の洗濯運転を実行した回数（例えば１０回）が他の使用量と比較して最も多い場合は、その回数（例えば１０回）を表示部４４に表示する。また、制御部４１は、洗剤の使用量の見直しを促す画面８１を表示部４４に表示してもよい。例えば、制御部４１は、「洗剤の使用量の見直しが必要です。」等の画面８１を表示部４４に表示する。洗濯機１０のユーザは、回数設定ボタン８２を押すことによって洗剤の使用量の見直しを行うことができる。
【００７０】
（２）他の実施例では、制御部４１が、使用回数が最も多い洗剤の使用量に基づいて洗濯可能回数を算出してもよい。例えば、制御部４１は、洗剤の使用量が１８ｇである場合の洗濯運転を実行した回数（例えば１０回）が他の使用量と比較して最も多い場合は、１８ｇの使用量に基づいて洗濯可能回数を算出する。
【００７１】
（３）他の実施例では、上記の第５実施例に対して、洗濯機１０のユーザが洗剤の基準量に対する割合（「多め」や「少なめ」のパラメータ）を選択することができる構成（第２実施例参照）を更に追加してもよい。
【００７２】
（４）上記の実施例は、ドラム式の洗濯機１０であったが、他の実施例では縦型の洗濯機１０であってもよい。
【００７３】
（５）上記の実施例では、洗剤タンク３０に関する構成について説明したが、洗剤タンク３０と同様の構成が柔軟剤タンク５０に適用されてもよい。
【００７４】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００７５】
１０：洗濯機、１１：本体、１２：蓋、１３：洗濯槽、１４：ドラム、１５：モータ、１６：給水路、１７：排水路、１８：給水弁、１９：排水弁、２０：自動投入装置、２１：着脱容器、２２：第１洗剤供給路、２３：ピストンポンプ、２４：第２洗剤供給路、２５：第１逆止弁、２６：第２逆止弁、２８：蓋、２９：開閉検出部、３０：洗剤タンク、３１：注入口、３２：排出口、３９：目盛り、４１：制御部、４２：記憶部、４３：タンク検出部、４４：表示部、４５：操作部、４６：重量検出部、５０：柔軟剤タンク、８０：スタートボタン、８１：画面、８２：回数設定ボタン、１１１：開口部、２１１：開口部、４５１：第１特定操作部、４５２：第２特定操作部
【図１】
2020078488.tif 000003
【図２】
2020078488.tif 000004
【図３】
2020078488.tif 000005
【図４】
2020078488.tif 000006
【図５】
2020078488.tif 000007
【図６】
2020078488.tif 000008
【図７】
2020078488.tif 000009
【図８】
2020078488.tif 000010
【図９】
2020078488.tif 000011
【図１０】
2020078488.tif 000012
【図１１】
2020078488.tif 000013
【図１２】
2020078488.tif 000014
【図１３】
2020078488.tif 000015
【図１４】
2020078488.tif 000016
【図１５】
2020078488.tif 000017
【図１６】
2020078488.tif 000018
【図１７】
2020078488.tif 000019
【図１８】
2020078488.tif 000020